(57)【要約】【課題】シリンダ強度を低下させることなく吸入抵抗を低減させて高効率化した密閉型圧縮機の提供。【解決手段】密閉容器に電動要素と圧縮要素とを収納し、圧縮要素のシリンダに吸入孔を設けた密閉型圧縮機において、シリンダ５の吸入孔１０はシリンダ内径部をカットして斜め孔１１を設けた構成としてある。これにより、シリンダ５の高さを増加させることなくシリンダ吸入孔径を実質的に拡大したような効果が得られ、吸入損失を低減して高効率化を実現することができる。【選択図】図２
2019027359.tif 000002
【特許請求の範囲】
【請求項１】
密閉容器に電動要素と圧縮要素とを収納し、前記圧縮要素のシリンダに吸入孔を設けた密閉型圧縮機において、前記シリンダの吸入孔は、シリンダ内径部に斜め孔を有する構造とした密閉型圧縮機。
【請求項２】
斜め孔をシリンダ内径部の上下部分に設けた請求項１に記載の密閉型圧縮機。
【請求項３】
圧縮要素のシリンダは複数段設け、その各シリンダのシリンダ吸入孔のそれぞれのシリンダ内径部に斜め孔を設けた請求項１又は２に記載の密閉型圧縮機。
【発明の詳細な説明】
【技術分野】
【０００１】
本発明は、空気調和装置や冷蔵庫等の冷凍機器に使用される密閉型圧縮機に関するものである。
【背景技術】
【０００２】
一般的なロータリ式の密閉形圧縮機は、密閉ケース内に電動機部およびこの電動機部と連結される圧縮機構部を収容しており、シリンダ、上軸受け、下軸受け、シャフト、ピストン等で構成された圧縮機構部で冷媒ガスを圧縮し、バルブカバーを通して密閉ケース内に吐出を行う。
【０００３】
このようなロータリ式の密閉形圧縮機は、吸入損失を低減させて高効率化を図ることが行われている（例えば、特許文献１参照）。
【０００４】
図８は、従来の密閉型圧縮機の断面図、図９は、従来の密閉型圧縮機のシリンダを示す外観斜視図である。
【０００５】
図８に示すように、特許文献１と概略同様の構造を持つ密閉型圧縮機１００であって、そのシリンダ１０１に設けられている吸入孔１０２（図９参照）の吸入孔径を拡大することにより、吸入抵抗を低減させ、高効率化を図るものもある。
【先行技術文献】
【特許文献】
【０００６】
【特許文献１】特開２００６−８３８４４号公報
【発明の概要】
【発明が解決しようとする課題】
【０００７】
しかしながら、上記高効率化を図るもののうち、図９に示すシリンダ１０１の吸入孔１０２の孔径を拡大することによって吸入抵抗を低減させ高効率化を図るものは、孔径拡大に伴って強度低下を起こすため、シリンダ１０１の背丈を高くして強度を確保する必要があるが、シリンダ高さの増加は受熱面積拡大により性能を低下させるため、シリンダの強度、加工等の制約により吸入孔径拡大による吸入抵抗損失低減効果には限界があった。
【０００８】
本発明は、このような点に鑑みてなしたもので、シリンダ高さを高くすることなく、吸入抵抗を低減させて高効率化した密閉型圧縮機を提供することを目的としたものである。
【課題を解決するための手段】
【０００９】
本発明は、上記目的を達成するため、シリンダ吸入孔のシリンダ内径部をカットして斜め孔を設けた構成としてある。
【００１０】
これにより、シリンダの高さを増加させることなく吸入孔径を実質的に拡大したような効果が得られ、吸入孔径の現状維持によりシリンダ強度を確保しつつ吸入損失を低減し高効率化を実現することができる。
【発明の効果】
【００１１】
本発明は、上記構成によって、シリンダの強度を保ちつつ、吸入損失を低減して高効率な密閉型圧縮機とすることができる。
【図面の簡単な説明】
【００１２】
【図１】本発明の実施の形態１における密閉型圧縮機の断面図
【図２】同実施の形態１における密閉型圧縮機のシリンダを示す外観斜視図
【図３】同実施の形態１における密閉型圧縮機のシリンダを切断して示す側面図
【図４】本発明の実施の形態２における密閉型圧縮機の断面図
【図５】同実施の形態２における密閉型圧縮機のシリンダを示す外観斜視図
【図６】同実施の形態２における密閉型圧縮機のシリンダを切断して示す側面図
【図７】本発明の実施の形態３における密閉型圧縮機の断面図
【図８】従来の密閉型圧縮機の断面図
【図９】従来の密閉型圧縮機のシリンダを示す外観斜視図
【発明を実施するための形態】
【００１３】
第１の発明は、密閉容器に電動要素と圧縮要素とを収納し、前記圧縮要素のシリンダに吸入孔を設けた密閉型圧縮機において、前記シリンダの吸入孔はシリンダ内径部をカットして斜め孔を設けた構成としてある。
【００１４】
これにより、シリンダの高さを増加させることなく吸入孔径を実質的に拡大したような効果が得られ、吸入孔径の現状維持によりシリンダ強度を確保しつつ吸入損失を低減し高効率化を実現することができる。
【００１５】
第２の発明は、第１の発明において、上記斜め孔をシリンダ内径部の上下部分に設けた構成としてある。
【００１６】
これにより、シリンダの吸入孔径を実質的に拡大したような効果を上下二つの斜め孔により高めることができ、より効果的に吸入損失を低減して高効率化を図ることができる。
【００１７】
第３の発明は、第１または２の発明において、前記電動要素のシリンダは複数段設け、その各シリンダのシリンダ吸入孔のそれぞれのシリンダ内径部に斜め孔を設けた構成としてある。
【００１８】
これにより、大能力で高効率な密閉型圧縮機とすることができる。
【００１９】
以下、本発明の実施の形態について図面を参照しながら説明する。なお、この実施の形態によって本発明が限定されるものではない。また、各図において、それぞれ同じ構成要素については同じ符号を用い説明を省略する。
【００２０】
（実施の形態１）
図１は、本発明の実施の形態１における密閉型圧縮機の断面図である。
【００２１】
本実施の形態の密閉型圧縮機は、密閉容器１内に電動機部２と圧縮機構部３を収納し、圧縮機構部３は上軸受け４、シリンダ５、下軸受け６で構成される。
【００２２】
また、密閉容器１にはアキュームレータ７が接続されている。
【００２３】
アキュームレータ７から吸い込まれた冷媒ガスは、ライナー８からシリンダ５の吸入孔部を通過し、シリンダ５内で圧縮される。圧縮された冷媒ガスは上軸受け４に取り付けられたバルブカバー９内を通過し、密閉容器１内に吐出される。
【００２４】
図２は、本発明の実施の形態１における密閉型圧縮機のシリンダを示す外観斜視図、図３は同シリンダを切断して示す側面図である。
【００２５】
図２、図３において、シリンダ５の吸入孔１０は、そのシリンダ内径部に斜め孔１１が追加工によって形成してある。即ち、シリンダ内径部をカットして、斜め孔１１が設けてある。
【００２６】
本実施の形態では、シリンダ５の吸入孔１０のシリンダ内径部に設けた斜め孔１１を吸入孔１０の上部分にのみ設けてある。
【００２７】
これにより、吸入孔１０はそのシリンダ内径部に斜め孔１１を設けたことによって、シリンダ内径部が拡大し縦スリット効果も加わって、吸入孔径が実質的に拡大したような効果が得られ、吸入損失を低減することができる。
【００２８】
しかも、斜め孔１１はシリンダ内径部に設けているので、図３に示す吸入孔１０自体の孔径Ｘは、従前通りとすることができ、シリンダ５の高さを高くする必要がない。
【００２９】
つまり、シリンダの高さを増加させることなくシリンダ吸入孔径を実質的に拡大したような効果を得て吸入損失を低減し高効率化を実現することができる。
【００３０】
（実施の形態２）
図４は、本発明の実施の形態２における密閉型圧縮機の断面図、図５は、同実施の形態２における密閉型圧縮機のシリンダを示す外観斜視図、図６は、同実施の形態２における密閉型圧縮機のシリンダを切断して示す側面図である。
【００３１】
本実施の形態では、シリンダ５の吸入孔１０のシリンダ内径部に設けた斜め孔１１を吸入孔１０の上下部分に設けてある。
【００３２】
これにより、シリンダ５の高さを増加させることなくシリンダ吸入孔径を実質的に拡大したような効果を上下二つの斜め孔１１によって高めることができ、吸入損失をより効果的に低減して高効率化を図ることができる。
【００３３】
（実施の形態３）
図７は、本発明の実施の形態３における圧縮機の断面図を示す。
【００３４】
本実施の形態の密閉型圧縮機は、シリンダ５を複数、この例では二段に設け、この各シリンダ５の吸入孔１０のそれぞれのシリンダ内径部に斜め孔１１を設けた構成としてある。
【００３５】
これにより、大能力で高効率な密閉型圧縮機を提供することができる。
【００３６】
なお、シリンダ５は、二段以上、例えば、三段設けても良い。
【産業上の利用可能性】
【００３７】
以上のように、本発明における密閉型圧縮機は、シリンダの強度を保ちつつ、吸入損失を低減して高効率な密閉型圧縮機とすることができる。よって、その大きさに関わらず、すべての密閉型圧縮機に適用することができる。
【００３８】
また、本発明の密閉型圧縮機は、製品である冷凍機器、具体的には、ルームエアコン等の空調機、家庭用冷蔵庫、業務用冷蔵庫、ヒートポンプ式給湯機、ヒートポンプ式温水暖房機、冷凍機に搭載できる。そうすることで、より省エネで環境に優しい快適な製品を実現することが可能となる。
【符号の説明】
【００３９】
１  密閉容器
２  電動機部（電動要素）
３  圧縮機構部（圧縮要素）
４  上軸受け
５  シリンダ
６  上バルブカバー
７  アキュームレータ
８  ライナー
９  バルブカバー
１０  吸入孔
１１  斜め孔
【図１】
2019027359.tif 000003
【図２】
2019027359.tif 000004
【図３】
2019027359.tif 000005
【図４】
2019027359.tif 000006
【図５】
2019027359.tif 000007
【図６】
2019027359.tif 000008
【図７】
2019027359.tif 000009
【図８】
2019027359.tif 000010
【図９】
2019027359.tif 000011